(57)【要約】【課題】  選針ドラムの連続した複数段に同一の長さの選針パターンを設定しなくても、編成効率を低下させない横編機を提供する。【解決手段】  横編機１０は、各選針ドラム２１，２２を個別に駆動可能な駆動機構２３，２４と、予め設定される編地の編成データおよび選針ドラム２１，２２の選針パターンのデータに基づいて、各選針ドラム２１，２２を角変位させるように駆動機構２３，２４を制御するコントローラーなどの制御手段２５とを含む。選針ドラム２１，２２には、複数の切欠溝２６に対して同じパターンで選針ピン２７を設定する必要がなく、段数を有効に利用し、複数の仕様の編地を、選針ドラム２１，２２の交換や、選針パターンの変更なしに編成することができる。【選択図】図１
2019073818.tif 000002
【特許請求の範囲】
【請求項１】
前後に対向する針床を有し、各針床に設ける選針ドラムの外周に設定する選針パターンで編針を選択しながら、手袋や靴下を筒状の編地として編成する横編機において、
各選針ドラムを個別に回転駆動可能な駆動機構と、
予め設定される編地の編成データおよび選針ドラムの選針パターンのデータに基づいて、各選針ドラムを角変位させるように駆動機構を制御する制御手段と
を含むことを特徴とする横編機。
【請求項２】
前記駆動機構は、前記選針ドラムを順方向および逆方向の双方向に駆動可能である
ことを特徴とする請求項１記載の横編機。
【請求項３】
前記選針パターンは、前記編地として編成可能な複数の仕様を含む
ことを特徴とする請求項１または２記載の横編機。
【請求項４】
前記複数の仕様は、標準仕様と、ターングローブ仕様と、指切り仕様とのうちの少なくとも一つの手袋を含む
ことを特徴とする請求項３記載の横編機。
【請求項５】
前記複数の仕様は、４本胴仕様と、３本胴仕様とのうちの少なくとも一つの手袋を含む
ことを特徴とする請求項３記載の横編機。
【発明の詳細な説明】
【技術分野】
【０００１】
本発明は、前後に対向する針床を有し、各針床に設ける選針ドラムで編針を選択しながら、手袋や靴下を筒状に編成する横編機に関する。
【背景技術】
【０００２】
従来から、５本の指をそれぞれ収容する指袋付きの作業用編み手袋や、指袋付きの靴下などを編成するために、筒状の横編地を編成する手袋編機や靴下編機としての横編機使用されている。これらの横編機では、前後に対向する針床を備え、針床の長手方向に往復移動するキャリッジに搭載される編成カムで編針を駆動する。たとえばキャリッジの左行では前針床、右行では後針床のように、編成カムに順方向が設定されていて、針床は交互に使用される。順方向で編成に使用する編針は、各針床に設ける選針ドラムで選択する。逆方向では、選択されている編針でも編成カムの作用を受けない。キャリッジや選針ドラムの駆動は、共通の駆動源によって行い、前後の選針ドラムは一緒に回転する。本件出願人は、共通の駆動源として人力を利用しうる横編機を提案している（特許文献１参照）。
【０００３】
選針ドラムの外周には、周方向の環状溝が針床の各編針に対応して形成され、軸方向の切欠溝が各環状溝を複数段に分ける。各段の切欠溝には、各編針に対応する位置に１針用の選針ピンを着脱したり、編幅方向に連続する複数の針の区間分の長さを有する選針ピンを着脱したりして、凹凸で表す選針パターンを設定することができる。（たとえば、特許文献２の図５および図６参照）。各環状溝には、編針の尾部に設けるバットの出没を制御する制御ジャックが摺接される。選針パターンは、制御ジャックを介して編針のバットの針溝に対する出没に反映させて、編成カムによってバットが駆動されるか否かを選択する。選針ドラムは、キャリッジが往復を繰返して、編成を進行させる際に、間欠的に一方に回る。前後の選針ドラムを回転駆動する駆動源を設け、他の部分とは独立して駆動可能にする手袋編機も提案されている（たとえば、特許文献３参照）。ただし、前後の選針ドラムは一緒に回転する。
【０００４】
図６は、手袋編機で編成する手袋の形態を簡略化して示す。手袋では、小指から人差指まで４本の指袋１，２，３，４を順次編成し、４本胴５を編成し、親指の指袋６を編成して５本胴７を編成する。
【０００５】
図７は、図６の手袋を編成するために使用する選針ドラムに、選針ピンによって設定される凹凸を周方向に展開した選針パターンの例を示す。この選針パターンによって、平編みの表目が表面に出る標準的な４本胴仕様の手袋が編成される。図８は、ターングローブと呼ばれ、編成後に裏返して使用することを前提とする仕様の手袋の選針パターンを示す。裏返すのは、表面を裏目にしてゴムなどをコーティングするためであり、指股での隙間を無くす関係上、（ａ）に示す後針床で、指袋１，２，３，４を編成が図７に比較して少し異なる。図９は、指切りと呼ばれ、各指袋１，２，３，４，６は開口しており、装着すると指先が露出する仕様の手袋の選針パターンを示す。各図の選針パターンで、縦方向は環状溝、横方向は切欠溝にそれぞれ対応し、（ａ）は後針床、（ｂ）は前針床の選針パターンをそれぞれ示し、（ａ）では下から上、（ｂ）では上から下に段が進行する。各段で横方向に連続している部分には、棒状に長い選針ピンを挿入する。このような部分では、平編みの編地が編成される。
【先行技術文献】
【特許文献】
【０００６】
【特許文献１】特開２０１０−２６５５６３号公報
【特許文献２】特開平１０−７７５５７号公報
【特許文献３】特開２００７−１２６７８１号公報
【発明の概要】
【発明が解決しようとする課題】
【０００７】
図７、図８および図９の選針パターンは、キャリッジの移動範囲の変化を共通にして編成することができる。しかしながら、指袋１，２，３，４から４本胴５、親指の指袋６、５本胴７までの選針パターンは、別個に用意しなければならない。たとえば、図７（ａ）に示す指袋１の選針パターンは、編出し部１ａ、テーパー部１ｂ、筒状部１ｃ、終端部１ｄを有する。編成コース数は、筒状部１ｃが多くなる。
【０００８】
いったん設定した選針パターンは、選針ピンが強固に装着されて脱落防止が図られているので、交換は困難である。また、最初に選針パターンを設定する際に、たとえば編出し部１ａ、テーパー部１ｂ、筒状部１ｃで編幅方向に連続して編成する区間に棒状の選針ピンを使用することを想定すると、多種の長さの選針ピンを用意しておく必要がある。終端部１ｄで使用するような１針用の選針ピンを多数並べるのは、手間がかかる。
【０００９】
一方の針床について選針パターンを変更するために、選針ドラムの段を進めるタイミングは、前後の選針ドラムが一緒に回っても影響がないように設定され、そのようなタイミングの待ち時間が必要となって編成効率を低下させる。また、前後の選針ドラムが一緒に回るので、選針パターンを変更する必要がなくても、段が進んでしまう場合がある。このような場合は、筒状部１ｃの最後の２段のように、連続する次の段も同一の長さの選針パターンに設定しておく。このため、選針パターン全体で必要な段数が多くなり、選針ピンの必要数も多くなってしまう。
【００１０】
本発明の目的は、選針ドラムの連続した複数段に同一の長さの選針パターンを設定する必要がなく、選針ドラムを回転させるタイミングを待つために編成効率を低下させることがない横編機を提供することである。
【課題を解決するための手段】
【００１１】
本発明は、前後に対向する針床を有し、各針床に設ける選針ドラムの外周に設定する選針パターンの凹凸で編針を選択しながら、手袋や靴下を筒状の編地として編成する横編機において、
各選針ドラムを個別に回転駆動可能な駆動機構と、
予め設定される編地の編成データおよび選針ドラムの選針パターンのデータに基づいて、各選針ドラムを角変位させるように駆動機構を制御する制御手段と
を含むことを特徴とする横編機である。
【００１２】
また本発明で、前記駆動機構は、前記選針ドラムを順方向および逆方向の双方向に駆動可能である
ことを特徴とする。
【００１３】
また本発明で、前記選針パターンは、前記編地として編成可能な複数の仕様を含む
ことを特徴とする。
【００１４】
また本発明で、前記複数の仕様は、標準仕様と、ターングローブ仕様と、指切り仕様とのうちの少なくとも一つの手袋を含む
ことを特徴とする。
【００１５】
また本発明で、前記複数の仕様は、４本胴仕様と、３本胴仕様とのうちの少なくとも一つの手袋を含む
ことを特徴とする。
【発明の効果】
【００１６】
本発明によれば、両針床の選針ドラムは、個別に回転駆動するように制御可能であり、一方の針床で編成中に、他方の針床の選針ドラムのみ角変位させて次の選針パターンに変えることができる。一方の針床では編成中の選針状態が変らないので、選針ドラムの連続した複数段に同一の長さの選針パターンを設定しなくてもよく、他方の針床のみで角変位のタイミングをとることができて、編成効率を低下させないことができる。
【００１７】
また本発明によれば、編成する編地の同じコース方向の位置で同じ編幅となる部分は、ウエール方向に離れていても、同一の選針パターンを繰返して選針に利用し、連続しない離れた段への同一の選針パターンの設定も不要にすることができる。
【００１８】
また本発明によれば、選針ドラムの段数を有効に利用し、複数の仕様の編地を、選針ドラムの交換や、選針パターンの変更なしに編成することができる。
【００１９】
また本発明によれば、標準仕様、ターングローブ仕様または指切り仕様のうちの少なくとも一つの手袋を、同一の選針パターンを利用して編成することができる。
【００２０】
また本発明によれば、４本胴仕様または３本胴仕様のうちの少なくとも一つの手袋を、同一の選針パターンを利用して編成することができる。
【図面の簡単な説明】
【００２１】
【図１】図１は、本発明の実施例１，２に使用する横編機１０の主要部分の概略的な構成を簡略化して示す右側面断面図である。
【図２】図２は、図１の選針ドラム２２による編針１４の選針状態の違いを示す部分的な右側面図である。
【図３】図３は、本発明の実施例１で使用される選針パターン３０を示す展開図である。
【図４】図４は、本発明の実施例２で使用される選針パターン４０を示す展開図である。
【図５】図５は、図４の選針パターン４０で編成可能な手袋の例を示す図である。
【図６】図６は、従来からの４本胴仕様の手袋の例を示す図である。
【図７】図７は、図６の４本胴仕様の手袋を編成するための選針パターンを示す展開図である。
【図８】図８は、ターングローブ仕様の手袋を編成するための選針パターンを示す展開図である。
【図９】図９は、指切り仕様の手袋を編成するための選針パターンを示す展開図である。
【発明を実施するための形態】
【００２２】
以下、図１および図２で、本発明の実施例１，２に使用する横編機１０の主要部分の概略的な構成をについて説明する。説明の便宜上、説明対象の図には記載されていない部分について、他の図に記載される参照符を付して言及する場合がある。図３は、本発明の実施例１で使用される選針パターン３０を示す。図４は、本発明の実施例２で使用される選針パターン４０を示す。図５は、図４の選針パターン４０で編成可能な手袋の例を示す。
【００２３】
図１に示す横編機１０は、前針床１１および後針床１２を有する。前針床１１および後針床１２は、歯口１３を挟んで対向する。前針床１１および後針床１２には、先端のフックが歯口１３に進退して編地を編成する編針１４がそれぞれ設けられる。編針１４は、図の紙面に垂直な方向に並設される針溝に収容される。なお、編針１４は、後針床１２側のみ示し、前針床１１側は省略する。編針１４は、基端側がニードルジャック１５に接続される。ニードルジャック１５には、編針１４が歯口１３に対して進退するように駆動するための制御バット１６が設けられる。制御バット１６が針溝から浮上する方向に突出すると選針状態となる。この選針状態は、選針ジャック１７によって制御される。選針ジャック１７には、選針凸部１８が設けられる。選針状態の制御バット１６は、キャリッジ２０に搭載される編成カムの作用を受ける。キャリッジ２０は、前針床１１および後針床１２で針溝が並設されている表面に臨み、紙面に垂直な方向に往復するように移動する。編針１４およびニードルジャック１５は、一体に組合せるようにしてもよい。
【００２４】
前針床１１および後針床１２には、選針ドラム２１，２２がそれぞれ設けられる。各編針１４は、選針ドラム２１，２２の外周に設定する選針パターンで選択される。
【００２５】
横編機１０は、各選針ドラム２１，２２を個別に駆動可能な駆動機構２３，２４と、予め設定される編地の編成データおよび選針ドラム２１，２２の選針パターンのデータに基づいて、各選針ドラム２１，２２を角変位させるように駆動機構２３，２４を制御するコントローラーなどの制御手段２５とを含む。図示の駆動機構２３，２４は、各選針ドラム２１，２２に対してそれぞれ設けられ、噛合する歯車を介して回転駆動する駆動源となるモーターをそれぞれ含む。回転駆動力の伝達は、モーターを各選針ドラム２１，２２に直結したり、ベルトおよびプーリーを介して行うこともできる。各選針ドラム２１，２２は、周方向の一方となる順方向および他方となる逆方向にそれぞれ角変位するように駆動したり、停止させたりすることができる。駆動機構２３，２４がクラッチを含むようにして、駆動源となるモーターは共用することもできる。選針ドラム２１，２２には、紙面に垂直な軸方向に延びる切欠溝２６が周方向に一定の角度ピッチで並設される。周方向の環状溝は、軸方向に針溝に対応する一定のピッチで並設される。選針ジャック１７の選針凸部１８の先端は、環状溝に嵌り込む。切欠溝２６には、選針ピン２７を着脱することができる。切欠溝２６のうちの１本は、拡大されて引抜溝２８となっている。
【００２６】
図２は、図１の選針ドラム２２による編針１４の選針状態の違いを示す。図１の選針ドラム２１でも同様な選針が行われる。図２（ａ）は、選針凸部１８の先端が段溝２６に装着されているピン２７に当接している状態を示す。選針凸部１８の先端は、環状溝の底部から浮上するので、制御バット１６も針溝から浮上して、編針１４が選針状態となる。
【００２７】
図２（ｂ）は、選針凸部１８の先端が選針ドラム２２に設ける引抜溝２８に収容される状態を示す。引抜溝２８の部分では、選針凸部１８が環状溝から軸方向に離脱可能となり、選針ドラム２２を軸方向に引抜いて、選針パターンの変更などのメンテナンスを施すことができる。本発明を適用すると、選針ドラム２２の連続した複数段に同一の長さの選針パターンを設定する必要がなくなるので、引抜溝２８を設ける余裕がある。
【００２８】
図２（ｃ）は、選択凸部１８の先端が選針ドラム２２の切欠溝２６に嵌る状態を示す。切欠溝２６に選針ピン２７が装着されていない部分では、選択凸部１８の先端が環状溝に沈み、選針ジャック１７を介して制御バット１６も針溝に沈む状態となる。
【００２９】
以下の実施例１，２では、各種仕様の手袋を編成する場合について説明するけれども、靴下用の選針パターンを用意すれば、同様に複数仕様の靴下を編成することもできる。
【実施例１】
【００３０】
図３は、本発明の実施例１で使用される選針パターン３０を示す。（ａ）は選針ドラム２２に、（ｂ）は選針ドラム２１にそれぞれ設定される。選針パターン３０の指袋３１，３２，３３，３４、４本胴３５、親指の指袋３６および５本胴３７を使用すると、図７、図８および図９に示す選針パターンをそれぞれ使用する場合と同様に、小指から親指の方向に手袋を編成することができる。たとえば、図３（ａ）の指袋３１は、編出し部３１ａ、テーパー部３１ｂおよび終端部３１ｃを有し、筒状部１ｃに相当する部分は省略している。しかも編出し部３１ａは、図９の指切り仕様の手袋を編出すために使用し、図７（ａ）の指袋１の編出し部１ａは、テーパー部３１ｂで最終段の部分を利用する。この場合、編出し後、選針ドラム２２を逆方向に角変位させて、途中の段をスキップし、テーパー部３１ｂの最初の段に移行し、次の段の変更は正方向に順次角変位しながら、指袋３１の編成を続ける。４本胴３５および５本胴３７は、１段分を複数コースの編成に利用する。このようにして、図６に示すような４本胴仕様の手袋を編成することができる。このような４本胴仕様の手袋は、従来の手袋編機で標準的に生産されているので、ターングローブ仕様や指切し仕様と区別するために標準仕様の手袋として示す。終端部３１ｃは、ターングローブ仕様の手袋を編成する場合は使用しない。このように、選針パターン３０には、４本胴での標準仕様と、ターングローブ仕様と、指切り仕様との３つの仕様の手袋を含めることができる。特定の仕様にのみ使用する部分を含めなければ、仕様の数を減らすことは容易である。
【実施例２】
【００３１】
図４は、本発明の実施例２の選針ドラム２２，２１で使用される選針パターン４０を（ａ），（ｂ）でそれぞれ示す。図５は、図４の選針パターン４０で編成可能な手袋の例を示す。編成パターン４０は、人差し指から薬指までの指袋４１，４２，４３、３本胴４４、小指の指袋４５、４本胴４６、親指の指袋４７および５本胴４８に対応する。５本胴４８に続く２段には、編針を１つおきに使用し、次の段は前段で使用しない位置の編針を使用するための編出し部４９が追加されている。選針パターン４０を選択的に重複して使用したり、不使用にしたりして、図５（ａ）に示す３本胴仕様の手袋や図５（ｂ）に示す４本胴仕様の手袋を編成することができる。また、たとえば指袋４１の終端部４１ｃを使用しなければ、３本胴仕様および４本胴仕様でターングローブの仕様となる手袋もそれぞれ編成することができる。すなわち、選針パターン４０には、４本胴仕様および３本胴仕様の両方の手袋を含めることができる。たとえば３本胴４４を設けなければ、３本胴仕様は除かれるように、仕様の数を減らして、いずれか１つの仕様にすることもできる。
【００３２】
さらに、編出し部４９を使用して編出すと、次に５本胴４８の選針パターンを連続して使用し、径が一定の円筒状の編地として、アームカバーを編成することもできる。なお、この編出し部４９や図３（ａ）の編出し部３１ａのような選針パターンは、たとえば、各コースでミスとニットとが繰り返され、次のコースでは、前コースのミスにはニット、前コースのニットにはミスが対応するように繰り返されるスムース編みにも利用することができる。また、コースの途中の編目をミスにするミス柄も、連続する段に違う選針パターンを設定することで編成可能となる。このようなスムース編みやミス柄は、アームカバー、４本胴、５本胴などでも、編幅の全体または一部で編成することができるばかりではなく、手袋の種々の仕様に限らず、靴下や他のアイテムにも使用することができる。スムース編みやミス柄などは、従来の選針パターンを一方向のみに回る選針ドラムに設定する手袋編機などで、コース毎に段を変えなければならないと、必要な段数が多くなって選針ドラムに収めることができなくなる。本発明を適用すれば、選針ドラムを有効に使用して、多様な編地を編成することができる。
【００３３】
以上のように、実施例１，２では、前針床１１および後針床１２の選針ドラム２１，２２を、前後独立に角変位させることができるので、従来のような、角変位可能になるまでの待ち時間を設ける必要がない。また、正逆の方向や、段のスキップを含めて角変位させることで、選針パターンに複数の仕様を混在させることができる。これによって、複数の使用の編地を、選針ドラム２１，２２の交換や、選針パターンの変更なしに編成することができる。
【００３４】
駆動機構２３，２４が駆動源として共通のモーターを使用し、クラッチで前後独立に、正方向のみに角変位させることができる場合であっても、一方の針床、例えば前針床１１で編成中に、他方の針床である後針床１２の選針ドラム２２を角変位させて次の選針パターンを用意しながら、前針床１１の選針ドラム２１はクラッチを切って停止させておけばよい。両針床の選針ドラム２１，２２を連動し、編成効率を低下させない場合に必要となる複数段に同一の長さの選針パターンを設定することは不要となる。ただし、横編機１０としては、編目抑止杆やルーパーなどについて、編成する仕様に対応するものが備えられていることが前提となる。
【符号の説明】
【００３５】
１０  横編機
１１  前針床
１２  後針床
１３  歯口
１４  編針
１６  制御バット
１７  選針ジャック
２１，２２  選針ドラム
２３，２４  駆動機構
２５  制御手段
２６  切欠溝
２７  選針ピン
２８  引抜溝
３０，４０  選針パターン
【図１】
2019073818.tif 000003
【図２】
2019073818.tif 000004
【図３】
2019073818.tif 000005
【図４】
2019073818.tif 000006
【図５】
2019073818.tif 000007
【図６】
2019073818.tif 000008
【図７】
2019073818.tif 000009
【図８】
2019073818.tif 000010
【図９】
2019073818.tif 000011